(57)【要約】【課題】本発明は、階段の見栄えを損なうことなく、正確かつ確実に固定でき、施工の容易な段鼻部材を提供する。【解決手段】段鼻部材１０は、下地踏板３０の上面前端部に釘４０等で固定されるベース部材１１と、断面略Ｌ字形に形成され、下地踏板３０に固着したベース部材１１の上面と下地踏板３０の前端面とを被覆するカバー部材１２から構成する。ベース部材１１は下面前端部に下地踏板３０の上端角部に係止してベース部材の取付位置を決める位置決め突起１１ｊを形成する。ベース部材１１上面に２本の嵌合凹条１１ｆ，１１ｇを形成し、カバー部材１２のベース部材１１上面との対向面に２本の嵌合凸条１２ｃ，１２ｄを形成し、嵌合凹条１１ｆ，１１ｇに嵌合凸条１２ｃ，１２ｄを嵌合してベース部材１１にカバー部材１２を嵌着する。踏板本体２０の前端面に形成した係合凹条２１に係合する係合凸条１１ｉをベース部材１１の後端部に設ける。【選択図】図１
2005207063.tif 000002
【特許請求の範囲】
【請求項１】
踏板本体の前端部に取り付ける段鼻部材であって、下地踏板の上面前端部に固着具で固定されるベース部材と、断面略Ｌ字形に形成され、下地踏板に固着した前記ベース部材の上面と下地踏板の前端面とを被覆するカバー部材から成り、前記ベース部材は下面前端部に前記下地踏板の上端角部に係止して前記ベース部材の取付位置を決める位置決め突起が形成され、前記ベース部材上面又は前記カバー部材のベース部材上面との対向面のいずれか一方に嵌合凸条、他方に嵌合凹条を設けて前記ベース部材に前記カバー部材を嵌着するように構成したことを特徴とする段鼻部材。
【請求項２】
前記踏板本体の前端面に形成した係合凸条又は係合凹条に係合する係合凹条又は係合凸条を設けることを特徴とする請求項１に記載の段鼻部材。
【発明の詳細な説明】
【技術分野】
【０００１】
本発明は、階段の踏板本体の前端部に取り付けられる段鼻部材に関し、より詳しくはリフォームに好適な段鼻部材に関する。
【背景技術】
【０００２】
段鼻部材の一形式として下記特許文献には断面Ｌ字形にした段鼻部材を用いた階段の化粧構造が記載されている。この化粧構造においては、まず踏板本体がビス等で下地踏板に固定される。ここで、ビス等は踏板本体に設けた切欠部へねじ込まれる。そして、前記切欠部に段鼻部材の上面板部に設けた切欠部を係合させ、前記踏板本体に該段鼻部材を接着剤によって固定している。踏板本体と蹴込板を下地踏板に固着するビス等は、段鼻部材が覆い隠し表面から見えないようにしている。
【特許文献１】特開平６−２４０８３３号公報
【発明の開示】
【発明が解決しようとする課題】
【０００３】
上記の段鼻部材は踏板本体に接着剤等で固定するので、接着剤が凝固する前に正しい取付位置からずれてしまうおそれがある。また、接着部分以外に接着剤が付着すると、付着した部分に埃などが貼り付いて階段が汚れる問題がある。
【０００４】
本発明は、上記の課題を鑑みて為されたものであって、階段の見栄えを損なうことなく、正確かつ確実に固定でき、施工の容易な段鼻部材を提供することを目的とする。
【課題を解決するための手段】
【０００５】
上記目的を達成するため、本発明は踏板本体の前端部に取り付ける段鼻部材であって、下地踏板の上面前端部に固着具で固定されるベース部材と、断面略Ｌ字形に形成され、下地踏板に固着した前記ベース部材の上面と下地踏板の前端面とを被覆するカバー部材から成り、前記ベース部材は下面前端部に前記下地踏板の上端角部に係止して前記ベース部材の取付位置を決める位置決め突起が形成され、前記ベース部材上面又は前記カバー部材のベース部材上面との対向面のいずれか一方に嵌合凸条、他方に嵌合凹条を設けて前記ベース部材に前記カバー部材を嵌着するように構成したことを特徴とする。
そして、好ましくは前記踏板本体の前端面に形成した係合凸条又は係合凹条に係合する係合凹条又は係合凸条を設ける。
【発明の効果】
【０００６】
本発明の段鼻部材は、ベース部材に位置決め突起を設けるとともに、ベース部材を釘、ビス等の固着具で下地踏み板に固着するので、正確かつ確実に取り付けることができる。カバー部材でベース部材の上面を覆うので、固着具が露出せず、また、下地踏板の前端面も覆うので階段の見栄えが良くなる。嵌合凸条と嵌合凹条を設けてベース部材にカバー部材を嵌着するので、カバー部材の取付が簡単に行える。
段鼻部材に、踏板本体の係合凸条又は係合凹条と係合する係合凹条又は係合凸条を設けることにより、踏板本体を段鼻部材で固定でき、踏板本体を固着具で固定しなくても踏板本体の浮き上がりを防ぐことができる。このため、踏板の施工が容易になる。
【発明を実施するための最良の形態】
【０００７】
本発明の段鼻部材は、下地踏板の上面前端部に釘等で固定されるベース部材と、断面略Ｌ字形に形成され、下地踏板に固着したベース部材の上面と下地踏板の前端面とを被覆するカバー部材から構成する。ベース部材は下面前端部に下地踏板の上端角部に係止してベース部材の取付位置を決める位置決め突起を形成する。ベース部材上面に２本の嵌合凹条を形成し、カバー部材のベース部材上面との対向面に２本の嵌合凸条を形成し、嵌合凹条に嵌合凸条を嵌合してベース部材にカバー部材を嵌着する。踏板本体の前端面に形成した係合凹条に係合する係合凸条をベース部材の後端部に設ける。
【実施例１】
【０００８】
本発明の実施例１を図に基づき説明する。図１には本実施例に係る段鼻部材を用いてリフォームした階段の断面図を示す。この階段は段鼻部材１０と踏板本体２０及び下地踏板３０から構成される。
【０００９】
段鼻部材１０はプラスチック成型品のベース部材１１とカバー部材１２から成る。ベース部材１１はベース面１１ａ、ベース面１１ａに立設した前面１１ｂ、中間仕切面１１ｃ，１１ｄ、後面１１ｅを備え、前面１１ｂと前側仕切面１１ｃ、後面１１ｅと後側仕切面１１ｄで２本の嵌合凹条１１ｆ，１１ｇが区画形成され、両仕切面１１ｃ，１１ｄで釘を打ち込むための釘用スペース１１ｈが形成されている。そして、前面１１ｂ、中間仕切面１１ｃ，１１ｄ、後面１１ｅはいずれも階段の幅方向に延びている。後面１１ｅの中間部には係合凸条１１ｉが後方へ突設されている。ベース部材１１の下面前端部には、下地踏板３０の段鼻部分に係止されベース部材１１の位置を決める位置決め突起１１ｊが下方へ突設されている。後面１１ｅの上端部内側には係合段部１１ｋが形成されている。
【００１０】
段鼻部材１０のカバー部材１２は、上カバー部１２ａと上カバー部１２ａの前端部から下方に延伸する前カバー部１２ｂから成る断面略Ｌ字形を有する。ベース部材１１の上面に対向する上カバー部１２ａの裏面には、ベース部材１１の嵌合凹条１１ｆ，１１ｇに嵌合する２本の嵌合凸条１２ｃ，１２ｄが下方へ突設されている。上カバー部１２ａの表面には複数本の滑り止め溝１２ｅが刻設されている。上カバー部１２ａの後端面にはベース部材１１の係合段部１１ｋに係合する係合突条１２ｆが形成されている。カバー部１２ｂの長さは少なくともベース部材１１と下地踏板３０の前面を被覆する長さに形成される。
【００１１】
踏板本体２０の前端面には段鼻部材１１の係合凸条１１ｉに係合する係合凹条２１が形成されている。
【００１２】
段鼻部材１０の構造は以上の通りであって、取付施工は、まず図２に示すように、ベース部材１１の下面前端部に設けた突起１１ｊを下地踏板３０の前端面上方の角部に係止させて、ベース部材１１の位置を決定し、該ベース部材１１のベース面１１ａが下地踏板３０の上面に当接するように設置する。
次ぎに図３に示すように、釘用スペース１１ｈへ階段の幅方向に一定の間隔を空けて釘４０を打ち込み、ベース部材１１を下地踏板３０へ固定し、ベース部材１１後端面の係合凸条１１ｉと踏板本体２０前端面の係合凹条２１を係合する。
そして図４に示すように、ベース部材１１の嵌合凹条１１ｆ，１１ｇにカバー部材１２の嵌合凸条１２ｃ，１２ｄを嵌着し、カバー部材１２の上カバー部１２ａを上面から押圧して嵌合凸条１２ｃ，１２ｄを嵌合凹条１１ｆ，１１ｇに圧入する。ここでカバー部材１２の係合突条１２ｆがベース部材１１の係合段部１１ｋに係合するため、カバー部材１２の後端部が後側嵌合凸条１２ｄと共に嵌合凹条１１ｇに落ち込むことは防がれる。
【００１３】
下地踏板３０に釘を係止する強度又は深さが無ければ、ベース部材１１を固定する釘４０に替えてネジ或はリベットなど他の固着手段を用いても良い。またベース部材１１の釘用スペース１１ｈは釘４０の頭がベース部材１１上面から突出することを防ぎ、より深く下地踏板３０へ釘４０を打ち込むように刻設したので、中間仕切り面１１ｃ，１１ｄから成る釘用スペース１１ｈに替えて突条に釘穴を刻設しても同等な効果を得ることができる。
【００１４】
ベース部材１１は下地踏板３０に固定されるため、プラスチック成形品と同等或はそれ以上の強度を備える、無垢材、合板、集成材、単板積層材などの木材、或は合成樹脂材、金属材を単独成形または任意複合するか切削して形成しても良い。また、カバー部材１２は階段外観の見栄えを良くするため、プラスチック成型品に替えて、無垢材、合板、集成材、単板積層材などの木材、或は合成樹脂材、金属材を基材として形成し、塗料、印刷したシート、化粧合板等によって適当な化粧と滑り止め加工を施して形成することもできる。
【００１５】
また、ベース部材１１に設けた嵌合凹条１１ｆ，１１ｇとカバー部材１２に設けた嵌合凸条１２ｃ，１２ｄの凹凸を逆に設けたり、ベース部材１１の後端部に設けた係合凸条１１ｉをカバー部材１２の後端部に突設したり、段鼻部材１０の係合凸条１１ｉと踏板本体２０の係合凹条２１の凹凸を逆に設けることもできる。
【産業上の利用可能性】
【００１６】
本発明の段鼻部材は、従前の階段の踏板を下地として、その上に新たな踏板を載置するリフォームに利用することや、木材、金属材、合成樹脂材等の骨組みを下地材に、踏板本体と段鼻部材が分割して設けられる階段の施工に利用可能である。
【図面の簡単な説明】
【００１７】
【図１】本発明の実施例１に係る段鼻部材を示す側面図である。
【図２】本発明の実施例１に係るベース部材の設置方法を表す説明図である。
【図３】本発明の実施例１に係るベース部材の固定方法とベース部材へ踏板本体が係合する状態を表す説明図である。
【図４】本発明の実施例１に係るベース部材へカバー部材を嵌着する状態を表す説明図である。
【符号の説明】
【００１８】
１０…段鼻部材、２０…踏板本体、３０…階段の下地踏板、
１１…ベース部材、１２…カバー部材、
１１ａ…ベース面、１１ｂ…前面、１１ｃ，１１ｄ…中間仕切り面、１１ｅ…後面、１１ｆ，１１ｇ…嵌合凹条、１１ｈ…釘用スペース、１１ｉ…係合凸条、１１ｊ…位置決め突起、１１ｋ…係合段部、
１２ａ…上カバー部、１２ｂ…前カバー部、１２ｃ，１２ｄ…嵌合凸条、１２ｅ…滑り止め溝、１２ｆ…係合突条、
【図１】
2005207063.tif 000003
【図２】
2005207063.tif 000004
【図３】
2005207063.tif 000005
【図４】
2005207063.tif 000006